(57)【特許請求の範囲】
【請求項１】
吸収性本体と可動部とを有し、該吸収性本体を陰唇間に挟んで使用される吸収性物品であって、
生理用ナプキンと併用され、
前記可動部は、前記生理用ナプキンと剥離可能に接着する接着部と、該接着部及び前記吸収性本体における長手方向の両側部を連結する可撓性の連結部とから形成されており、
前記可動部は、前記吸収性本体における長手方向の前記両側部間に架け渡されるシート材を用いて形成されており、
前記接着部は、前記シート材の一部に粘着剤が塗布されて形成されており、前記連結部は、該シート材における該粘着剤が塗布されていない部分から形成されており、
前記接着部及び一対の前記連結部の横方向の合計した長さが、陰唇間に挟んだ状態の前記吸収性本体の幅よりも長く、
前記シート材は、その断面形状が円弧状であり、生理用ナプキンと併用された際に、前記生理用ナプキン側に向かって凸に膨らみ、前記吸収性本体が生理用ナプキンに対して、上下方向及び左右方向への動きが許容されるようになっている吸収性物品。
【請求項２】
前記シート材は平面状に展開した形状が横長矩形であり、前記接着部は該シート材の横方向中央部に帯状に形成されており、一対の前記連結部は、該接着部の両側に位置しており、請求項１記載の吸収性物品。
【請求項３】
前記シート材は、その前記横方向の両端部が、前記吸収性本体における長手方向の前記両側部に、該両側部間に架け渡されて、接合されている請求項２記載の吸収性物 品。
【請求項４】
前記シート材における前記横方向の両端縁は、前記吸収性本体における長手方向の前記両側部間で、互いに延出して繋がっている請求項３記載の吸収性物品。
【請求項５】
前記シート材が不織布から形成されている請求項１〜４の何れか１項に記載の吸収性物品。
【発明の詳細な説明】
【技術分野】
【０００１】
本発明は、吸収性物品、特に女性の陰唇間に挟んで使用される吸収性物品に関する。
【背景技術】
【０００２】
従来、女性の陰唇間の空間に挟んで使用される陰唇間パッド等の小型の吸収性物品が知られている。この種の吸収性物品は、その肌当接面が直接陰唇間と密着して着用されるものであり、その防漏性が高められているものであるが、経血の吸収量が比較的多くないため、ショーツ等の下着の内側に固定して使用される生理用ナプキンと併用して用いられる場合もある。
また、前述したような陰唇間パッド等の小型の吸収性物品は、装着時には陰唇間の空間に挟まれて固定されているだけなので、この吸収性物品を交換するため、トイレ等で下着を下ろした際に、吸収性物品が陰唇間から下にポロッと落ちてしまうことがあった。
【０００３】
このような問題を解決する陰唇間パッド及び併用される生理用ナプキンが提案されている。
【０００４】
例えば、特許文献１において、生理用ナプキンは、陰唇に密着する陰唇間パッドを適切な位置に容易に取り付けることが可能となるように、肌当接面に案内要素である圧搾溝を形成し、この圧搾溝を目安として陰唇間パッドを粘着部によって取り付けるようになっており、縦長の陰唇間パッドは、その肌当接面側の長手方向が山となり且つ非肌当接面側の長手方向が谷となるように２つ折りされており、陰唇間パッドにおける非肌当接面側の長手方向左右それぞれに、粘着部が設けられている陰唇間パッド及び併用される生理用ナプキンが開示されている。
【０００５】
【特許文献１】特開２００３−３８５６４号公報
【発明の開示】
【発明が解決しようとする課題】
【０００６】
特許文献１記載の陰唇間パッドは、生理用ナプキンと併用されるため、全体としての吸収量が増加し、また交換時に陰唇間から下に落ちないようになされている。しかし、その非肌当接面側の長手方向左右それぞれに、粘着部が設けられているので、陰唇間パッドを陰唇間に挟んだ際に、左右の粘着部同士が互いに接着してしまうおそれがある。
【０００７】
また、特許文献１記載の陰唇間パッドは、その非肌当接面側の面に設けられた粘着部を介して生理用ナプキンと接着されて一体的になっており、着用者の動きに対して、追従しきれない場合がある。例えば、生理用ナプキンが下着と共にズレたり動いたりした場合、連動して陰唇間パッドも着用者の体に対して動いてしまうときがある。そのため、着用者が体を動かした際に、陰唇部の動きと陰唇間パッドの動きとの間にズレが生じて、着用者は違和感及び痛みを感じるおそれがある。
【０００８】
従って、本発明の目的は、前述した従来技術が有する欠点を解消し得る陰唇間に挟んで使用される吸収性物品を提供することにある。
【課題を解決するための手段】
【０００９】
本発明は、吸収性本体と可動部とを有し、該吸収性本体を陰唇間に挟んで使用される吸収性物品であって、前記可動部は、接着部と、該接着部及び前記吸収性本体における長手方向の両側部を連結する可撓性の連結部とから形成されている吸収性物品を提供することにより、上記目的を達成したものである。
【発明の効果】
【００１０】
本発明の陰唇間に挟んで使用される吸収性物品によれば、その装着感及び操作性が向上する。
【発明を実施するための最良の形態】
【００１１】
以下、本発明の吸収性物品の好ましい第１実施形態について、図１〜図５を参照しながら説明する。
【００１２】
本実施形態の吸収性物品１は経血の吸収パッドであって、図１〜図３に示すように、液透過性の表面シート２、裏面シート３及び両シート間に介在された液保持性の吸収体４を具備する実質的に縦長の吸収性本体１１と可動部１２とを有している。吸収性本体１１は、肌当接面側の長手方向が山となり且つ非肌当接面側の長手方向が谷となるように２つ折りされており、吸収性本体１１を陰唇間に挟んで使用される。
また、本実施形態の吸収性物品１における可動部１２は、接着部５と、該接着部５及び吸収性本体１１における長手方向の両側部を連結する可撓性の一対の連結部６，６とから形成されている。
【００１３】
本実施形態の吸収性物品１における可動部１２について、更に説明すると、可動部１２は、図３に示すように、吸収性本体１１における長手方向の両側部間に架け渡されるシート材１３を用いて形成されており、接着部５は、シート材１３の一部に粘着剤が塗布されて形成されており、連結部６は、シート材１３における粘着剤が塗布されていない部分から形成されている。
【００１４】
シート材１３は平面状に展開した形状が横長矩形であり、接着部５はシート材１３の横方向中央部に帯状に形成されており、一対の連結部６，６は、図３に示すように、接着部５の両側に位置しており、接着部５及び一対の連結部６，６の横方向の合計した長さが、陰唇間に挟んだ状態の吸収性本体１１の幅よりも長くなっている。本実施形態において、シート材１３の横方向は、吸収性本体１１の幅方向と一致しており、シート材１３の縦方向は、吸収性本体１１の長手方向と一致している。
【００１５】
シート材１３は、図３に示すように、その横方向の両端部が、吸収性本体１１における長手方向の両側部に、該両側部間に架け渡されて、接合されている。シート材１３は、その粘着剤が塗布されている面と同じ側の面が、吸収性本体１１と接合されている。吸収性物品１の幅方向の断面において、シート材１３の断面形状は、図３に示すように、円弧状であり、シート材１３は、吸収性本体１１の非肌当接面側に向って凸に膨らんだ形状を有している。
シート材１３及び吸収性本体１１から形成される開口部は、吸収性本体１１の前方及び後方それぞれに形成されている。
本実施形態において、可動部１２は、筒状体の周壁の一部が長手方向全体に亘って切開された筒状形状を有している。
【００１６】
本実施形態の吸収性物品１において、接着部５は、シート材１３における横方向中央部分の非肌当接面側の面に粘着剤が塗布されて形成されている。粘着剤は、所定の幅でシート材１３における縦方向の両端部間に亘り塗布されている。
接着部５は、吸収性物品１が着用される際に、着用者の下着又は本物品１と併用される生理用ナプキンと剥離可能に接着される。
粘着剤のシート材１３への塗工坪量は、粘着部５が下着又は生理用ナプキンと確実に接着する観点から、２０〜３００ｇ／ｍ2であることが好ましく、３０〜２００ｇ／ｍ2であることが特に好ましい。
【００１７】
また、用いられる粘着剤は、組み合わせ使用される生理用ナプキン、又はパンティライナーの表面シートに貼り付いて、当該ナプキン等の表面が体液で濡れても剥がれないような、十分な接着性を得ることが必要である。
ナプキン等を併用せず、吸収性物品１を、下着に直接組み合わせて使用する場合には、極端に接着力の高い粘着剤を採用すると、接着部５を剥がそうとした場合に、下着に粘着剤が移行したり、吸収性物品１が分解したりして不都合を生じることもある。
このような場合には、粘着剤にゴム系又はシリコーン系を用い、相対的には可塑剤／粘着付与剤の添加量を下げて、加圧後の接着力増大を防止することが必要である。
【００１８】
接着部５は、吸収性物品１の自然状態において、その粘着剤が塗布されている面が、図３に示すように、吸収性物品１の非肌当接面側に向いている。接着部５の粘着剤が塗布されている部分は、剥離紙によって被覆されて、使用時まで保護されていることが好ましい。吸収性物品１の自然状態とは、重力以外の外力が、吸収性物品１に実質的に働いていない状態である。
【００１９】
本実施形態の吸収性物品１において、前述した粘着部５は、図３に示すように、一対の連結部６，６を介して、吸収性本体１１における長手方向の両側部と接合されている。一対の連結部６，６は、シート材１３における横方向の両端縁と粘着部５との間の部分から形成されている。一対の連結部６，６それぞれは、その横方向の一方の端部が、図２及び図３に示すように、裏面シート３の長手方向中央部の両側部における非肌当接面側の面と公知の接合手段により接合されている。
一対の連結部６，６は、接着部５を固定した場合、吸収性本体１１の上下方向及び左右方向に可撓性を有している。吸収性本体１１の上方向は肌当接面側の向きであり、下方向は非肌当接面側の向きであり、左右方向は幅方向の何れか一方の向きである。
【００２０】
本実施形態の吸収性本体１１の寸法は、該吸収性本体１１が女性の陰唇間に挟まれ陰唇部の壁部と密着して体液の漏れを防ぐ観点から、長さが１２ｃｍ、幅が６ｃｍ、厚さが２ｃｍそれぞれを超えない寸法であることが好ましい。長さ及び幅は、吸収性本体１１を平面状に展開した場合の長手方向又は幅方向それぞれの最大の値である。厚みは、シート材１３及び後述する保形シート７を取り外した吸収性本体１１を平面状に展開し、例えばピーコック製卓上厚みゲージによって、適当な大きさの測定用プレートを載せて２．５ｇ／ｃｍ2荷重下の厚みを測定される。
【００２１】
本実施形態の吸収性本体１１を女性の陰唇間に挟んだ状態の幅は、一般に５〜１２ｍｍである。そこで、シート材１３を平面状に展開した時の横方向の長さは、一対の連結部６，６が吸収性本体１１の上下方向及び左右方向に十分な可撓性を有する観点から、４０〜２００ｍｍであることが好ましく、５０〜１７０ｍｍであることが特に好ましく、５５〜１５０ｍｍであることが一層好ましい。また、シート材１３の縦方向の長さは、接着部５が本物品１と併用される生理用ナプキン等に確実に接着される観点から、１５〜１００ｍｍであることが好ましく、２５〜８０ｍｍであることが特に好ましく、３０〜７５ｍｍであることが一層好ましい。
【００２２】
また、接着部５の幅は、５〜４０ｍｍであることが好ましく、７〜３５ｍｍであることが特に好ましく、１０〜３３ｍｍであることが一層好ましい。接着部５の幅は５ｍｍ以上であることが、シート材５が生理用ナプキン等に確実に接着される上で好ましい。また、接着部５の幅は４０ｍｍ以下であることが、接着部５がシート材１３の形成するループの下側からはみ出ることなく且つシート材５に一対の連結部６，６として十分な領域を確保する上で好ましい。
尚、接着部５は、図３では幅方向に連続した薄膜状に表されているが、この場合、長手方向には間欠していても良い。また、長手方向に連続し、幅方向には間欠した線状等の複数パターンに塗工されていても良い。その場合、好ましい塗工幅は、個々の塗工幅の合計で理解される。
【００２３】
本実施形態の吸収性物品１が、例えば、図４に示すように、接着部５を介して本物品１と併用される生理用ナプキン８に接着されている状態において、吸収性本体１１は、一対の連結部６，６を介して接着部５とゆるく接合されている。吸収性本体１１は、生理用ナプキン８と一体的に接着固定されている接着部５に対して、図５（ａ）〜（ｃ）に示すように、上下方向及び左右方向への動きが許容されるようになっている。
【００２４】
吸収性物品１における接着部５が、例えば、本物品１と併用される生理用ナプキンに接着される際、生理用ナプキンの表面シートと接着部５が接し、接着部５が吸収性本体１１側へ押し戻された時、一対の連結部６，６は、接着部５を生理用ナプキン側へ押し戻す働きを有していることが、接着部５と生理用ナプキンの表面シートとを確実に接着する上で好ましい。従って、一対の連結部６，６は、上下方向に弾性を有していることが好ましい。
一対の連結部６，６を形成するシート材１３の坪量は、前述した理由並びに上下方向及び左右方向への動き易さの観点から、１８〜２２０ｇ／ｍ2であることが好ましく、２０〜１２０ｇ／ｍ2であることが特に好ましく、２５〜８０ｇ／ｍ2であることが一層好ましい。
尚、シート材１３としては、上記の好ましい坪量の範囲で、複数枚のシートを使用することも可能である。
【００２５】
本実施形態の吸収性物品１について、更に説明すると、表面シート２及び裏面シート３それぞれの平面視形状は、吸収体４と略相似形であって、図１及び図２に示すように、縦長であり、その長手方向は吸収性本体１１と一致している。表面シート２及び裏面シート３の２枚のシート同士は、図２及び図３に示すように、吸収体４の周縁から延出し、互いに接合されている。
【００２６】
吸収性本体１１において、保形シート７が、長手方向の両側部に、該両側部間に架け渡されて、接合されている。保形シート７について、更に説明すると、その平面視形状が縦長矩形形状であり、その長手方向は吸収性本体１１の長手方向と一致している。保形シート７における長手方向の両側部は、図３に示すように、裏面シート３の長手方向中央部の両側部における非肌当接面側の面と接合されていて、吸収性本体１１の扇形に開いた２つ折りの形態が維持されている。自然状態にある吸収性本体１１が扇形に開いた状態において、保形シート７は、弛むことなく、吸収性本体１１における長手方向の両側部間に架け渡されている。
保形シート７の寸法は、長さが５０〜１００ｍｍであって、幅が２０〜６０ｍｍであることが、本物品１の２つ折りの形態を良好に維持する上で好ましい。
【００２７】
吸収性本体１１は、図１及び図２に示すように、長手方向の前端部に、吸収性物品１の交換時の作業を容易とする摘み部１４を有している。摘み部１４は、表面シート２及び裏面シート３それぞれが吸収体４の前端縁から延出し接合して形成されている。吸収性物品１は、その装着時には、摘み部１４を有している前端部側を腹側に向けて身体に装着されることが好ましい。
【００２８】
また、吸収性物品１は、その包装状態においては、裏面シート３の非肌当接面側の面同士が重なって２つ折りされている。使用する際に包装から取り出されると、裏面シート３の非肌当接面側の面同士は、自然状態において、図３に示すように、扇形に開いて離間する。本明細書において、２つ折りは、前述したように、裏面シート３の非肌当接面側の面同士が重なって２つ折りされている状態と、図３に示すように、扇形に開いている状態とを含んでいる。
【００２９】
本実施形態の吸収性物品１を構成する各部材について説明すると、シート材１３の形成材料としては、従来の吸収性物品において用いられている各種の不織布及び樹脂フィルム
用いることが好ましい。図２に示すように、吸収性本体１１の左右から外側に延出しているシート材１３の部分が、着用者の肌と接する場合があるので、シート材１３は、特に肌触りが良好な不織布から形成されていることが好ましい。肌触りが良好な不織布としては、例えば、短繊維から形成されているエアースルー不織布、スパンレース不織布、スパンボンド不織布、スパンボンド（Ｓ）とメルトブローン（Ｍ）を適宜組み合わせた不織布（ＳＭＳ，ＳＭＭＳなど）等が挙げられる。
【００３０】
裏面シート３は、吸収性物品１の用途に応じて、液透過性又は液不透過性を有する形成材料を選択することが好ましい。吸収性物品１を生理用ナプキンと併用する場合には、裏面シート３は液透過性を有していることが、吸収性物品１で吸収しきれなくなった体液を、生理用ナプキン等で効率良く吸収する上で好ましい。また、吸収性物品１を下着の内側に直接接着して使用する場合には、裏面シート３は液不透過性を有していることが、下着を体液で汚さないために好ましい。排泄される体液の量が比較的少量であれば、本実施形態の吸収性物品１だけで排泄される全ての体液を吸収することが可能である。
【００３１】
また、裏面シート３が液透過性を有している場合には、シート材１３も液透過性を有していることが好ましい。不織布は一般に液透過性を有しており、シート材１３として液透過性を有する不織布を用いる場合には、該不織布が更に親水性を有していることが好ましい。また、シート材１３の形成材料として樹脂フィルムを用いる場合には、該フィルムに開口部を設けて、液透過性を付与することが好ましい。
一方、裏面シート３が液不透過性を有している場合には、シート材１３は、液透過性又は液不透過性の何れを有していても構わないが、シート材１３のうちループ形成して吸収性本体１１より外側にはみ出す部分（図２で１２，１３のように外に展開している部分）は体液を濡れ広げない観点から、撥水性を有していることが好ましい。
【００３２】
前述した裏面シート３の形成材料としては、従来の吸収性物品において各種のシート材料を用いることができる。液透過性を有するシート材としては、例えば、各種不織布材料のほか開孔フィルムが挙げられる。また、液不透過性を有するシート材としては、例えば、未開孔のフィルム、および液不透過性の微細開孔したいわゆる透湿フィルムが挙げられる。
【００３３】
接着部５における粘着剤の形成材料としては、従来の吸収性物品において用いられている各種の粘着剤を用いることができるが、特にホットメルトタイプ粘着材のうち、ポリオレフィン系、ゴム（スチレン-ブタジエン-スチレン[ＳＢＳ]系、スチレン-エチレン-ブタジエン-スチレン[ＳＥＢＳ]）系、シリコーン系、アクリル系を基材樹脂とし、可塑剤および粘着付与剤を多量に配合した低融点かつ加圧移動性の高い粘着剤が好ましく、耐水性および移動性よりポリオレフィン系がもっとも好ましく、ゴム系も好ましい。
【００３４】
本実施形態の吸収性物品１は、例えば、以下に説明するように着用又は取り外すことができる。
本実施形態の吸収性物品１を着用する際には、谷折りされている裏面シート３の非肌当接面側の面同士の間の空間に指を挿入し、本物品１を指で支持する。この場合、谷折りされている裏面シート３における非肌当接面側の面と保形シート７とによって、指先が挟まれ、本物品１の指による支持が確実となるようになされている。本物品１は、このように指で支持された状態で、陰唇間の空間に挟みこんで着用されることが好ましい。また、保形シート７とシート材１３とから形成されている空間に指先を挿入し、本物品１を指で支持して、同様に着用することも好ましい。
【００３５】
前述したように着用した吸収性物品１を、下着の内側に固定された生理用ナプキンの肌当接面側へ、以下に説明するように接着することができる。
まず、吸収性物品１を着用する前に、下着を下ろした状態で、下着の内側に生理用ナプキンを固定する。通常、生理用ナプキンの非肌当接面側の面には、下着と接着するためのズレ止め材が塗布されているので、該ズレ止め材を介して生理用ナプキンを下着に固定することが好ましい。
【００３６】
次に、下着を引き上げる。吸収性物品１の接着部５は、非肌当接面側に向いており、生理用ナプキンの表面シート２´と略対向するように向いている。下着が引き上げられ、下着の内側に固定されている生理用ナプキンの表面シート２´と吸収性物品１の接着部５とが接し、接着部５が上側へ押されると、一対の連結部６，６には接着部５を、下側へ押し戻そうする反発力が生じ、接着部５の粘着剤と生理用ナプキンの表面シート２´とが確実に接着され、図４に示すように、吸収性本体１１が接着部５を介して生理用ナプキンの表面シート２´上に剥離可能に接着される。
【００３７】
次に、吸収性物品１が着用された状態について以下に説明する。
前述したように、下着が引き上げられて、その内側に固定されている生理用ナプキン８と接着された吸収性物品１において、吸収性本体１１は、図５（ａ）に示すように、生理用ナプキンの表面シート２´上に重なった状態にある。一対の連結部６，６は、吸収性本体１１における幅方向の外側又は内側において折り畳まれた状態にある。
【００３８】
この状態から、着用者が体を動かすと、陰唇間の空間に挟まれている吸収性本体１１は、着用者の動きに密接に追従するが、生理用ナプキン８と一体的に固定されている接着部５は、着用者の動きに対して、密接に追従できない場合がある。このように、接着部５の動きと吸収性本体１１の動きとの間にズレが生じると、一対の連結部６，６は、図５（ａ）〜（ｃ）に示すように、上下方向及び左右方向に撓むことにより、吸収性本体１１と接着部５との間の動きのズレを許容するようになっている。
【００３９】
次に、使用した吸収性物品１は、以下に説明するように取り外すことができる。
トイレ等で下着を下ろすと、下着に固定されている生理用ナプキンと共に、吸収性物品１が陰唇間の空間から外れる。本物品１は、陰唇間から外れても、生理用ナプキンに接着されているので、下にポロッと落ちてしまうようなこともなく、本物品１を外すことができる。外された吸収性物品１は、汚物入れ等に廃棄されることが好ましい。
前述した説明では、本実施形態の吸収性物品１は、生理用ナプキンと併用される場合について述べた。生理用ナプキンを併用しない場合には、吸収性物品１が下着の内側に直接接着されること以外は、前述したのと同様にして、本物品１を着用又は取り外すことができる。
【００４０】
前述した本実施形態の吸収性物品１によれば、下着又は併用される生理用ナプキンと接着部５とが一体的に接着されていても、吸収性本体１１は上下方向及び左右方向への動きが許容されているので、装着感に優れている。また、生理用ナプキンと併用することにより、体液の吸収量を全体として向上することが可能である。
また、吸収性本体１１は、可動部１２を介して、下着又は併用される生理用ナプキンとが一体的に接着されているので、吸収性物品１の交換時に、本物品１が下に落ちてしまうことが防止されており、その操作性が向上している。
【００４１】
次に第２及び第３実施形態の吸収性物品１を、図６及び図７を参照しながら説明する。第２及び第３実施形態について、特に説明しない点については、第１実施形態に関して詳述した説明が適宜適用される。また、図６及び図７において、図１〜図５と同じ部材に同じ符号を付してある。
【００４２】
本発明の好ましい第２実施形態の吸収性物品１は、図６に示すように、シート材１３における横方向の両端縁は、吸収性本体１１における長手方向の両側部間で、互いに延出し延出部１３１を形成して繋がっている。本実施形態の吸収性物品１において、シート材１３は、延出部１３１によって、その横方向の両端縁同士が繋がり、筒状体に形成されている。該筒状体は、２つの開口部それぞれを、吸収性本体１１の前方及び後方に向けて、吸収性本体１１における長手方向の両側部と接合されている。
【００４３】
本実施形態の吸収性物品１について、更に説明すると、吸収性物品１は、保形シートを備えていないが、延出部１３１が、同様の働きを有している。尚、延出部１３１は、連結部６の機能は有していない。その他の構成は、前実施形態と同様である。
【００４４】
前述した本実施形態の吸収性物品１によれば、前述した実施形態と同様の効果が奏される。
【００４５】
本発明の好ましい第３実施形態の吸収性物品１において、シート材１３は、図７に示すように、その横方向の両端部が、前述した各実施形態と同様に、吸収性本体１１における長手方向の両側部に、該両側部間に架け渡されて、接合されているが、シート材１３は、その粘着剤が塗布されている面とは反対側の面が、吸収性本体１１と接合されている。そのため、シート材１３は、図７に示すように、吸収性本体１１の非肌当接面側に向って、前述した各実施形態よりも更に凸に膨らんだ形状を有している。その他の構成は、第１実施形態と同様である。
【００４６】
本実施形態の吸収性物品１におけるシート材１３は、前述したような構成を有しているので、接着部５が更に下側に突き出た形状を有しており、また、一対の連結部６，６は上下方向の弾性が増している。
前述した本実施形態の吸収性物品１によれば、粘着部５が、下着又は本物品１と併用される生理用ナプキンとより確実に接着するようになっている。また、前述した第１実施形態と同様の効果が奏される。
【００４７】
本発明の吸収性物品は、前述した実施形態に制限されることなく、本発明の趣旨を逸脱しない限り適宜変更が可能である。
例えば、第２実施形態において、シート材１３から形成される筒状体がテーパーを有し、該筒状体における前方の開口部の径が、指を挿入できる程度の大きさを有し、該筒状体の後方側の内径は前記前方の開口部の径よりも小さくなっており、指の挿入を規制しそれ以上に指が挿入できないような大きさを有していることも好ましい。この場合、吸収性物品１を装着する際には、該筒状体の中に指を挿入し本物品１を指で支持して、陰唇間の空間に装着することができる。
【００４８】
更に、第２実施形態において、シート材１３から形成される筒状体の両開口部は、吸収性本体１１の前後方向に向いていたが、該両開口部が、吸収性本体１１の左右方向を向くように、該筒状体を吸収性本体１１における長手方向の両側部に接合しても良い。この場合、吸収性本体１１は、固定されている接着部５に対して、上下方向及び前後方向への動きが許容されるようになる。
また、操作性や包装性を損なわない範囲でシート材１３を複数回重ねた又は巻いた構成であっても良い。
【００４９】
本発明の吸収性物品は、経血の吸収パッドであっても良いが、失禁パッド等であっても良い。
また、接着剤５を介して本物品と併用されるパッドも、経血の吸収パッドの他失禁パッド、おりものシートであってもよい。
前述した一の実施形態における説明省略部分及び一の実施形態のみが有する部分は、すべて適宜相互に利用できる。
【図面の簡単な説明】
【００５０】
【図１】図１は、本発明の吸収性物品の第１実施形態を示す斜視図である。
【図２】図２は、第１実施形態の吸収性物品を表側からみた平面図である。
【図３】図３は、図２のＸ−Ｘ線断面図である。
【図４】図４は、第１実施形態の吸収性物品が生理用ナプキンの肌当接面側に配置された状態を示す斜視図である。
【図５】図５（ａ）〜（ｃ）は、第１実施形態の吸収性物品が着用されている状態を示しており、（ａ）は吸収性本体が下方向へ移動した状態であり、（ｂ）は吸収性本体が上方向へ移動した状態であり、（ｃ）は吸収性本体が横方向へ移動した状態を示している。
【図６】図６は、本発明の吸収性物品の第２実施形態を示す図３に相当する断面図である。
【図７】図７は、本発明の吸収性物品の第３実施形態を示す図３に相当する断面図である。
【符号の説明】
【００５１】
１        吸収性物品
１１    吸収性本体
１２    可動部
１３    シート材
１３１  延出部
１４    摘み部
２        表面シート
３        裏面シート
４        吸収体
５        接着部
６        連結部
７        保形シート
８        生理用ナプキン
【図１】
0004587948.tif 000002
【図２】
0004587948.tif 000003
【図３】
0004587948.tif 000004
【図４】
0004587948.tif 000005
【図５】
0004587948.tif 000006
【図６】
0004587948.tif 000007
【図７】
0004587948.tif 000008